(57)【要約】      （修正有）【課題】スラッジを運び出すことなく、スラッジのある現場で電気を生産する事が出来、産業廃棄物として環境に悪い影響を与えているスラッジを無くすると共に、新しいクリーンな電気エネルギーを生み出す方法の提供。【解決手段】原油の成分を分解する特殊な植物酵素液燃焼を利用して、軽油２、水と混合して単なる機械的な撹拌作用にて混合し、その結果、重油、水、砂など固形物の比重の差を利用して分離、その中で一番比重の軽い重油スラッジを抽出し、それをディーゼル発電機１７を駆動する燃料に利用し、そこで発生する電気はクリーンなエネルギーであり、色々な産業に利用できる。この変換装置を移動型の４０フイートコンテナに搭載する事により、スラッジの処理が終わった後、別のスラッジがある現場に移動して稼働させることができる様にしたものである。【選択図】図１
2016097400.tif 000002
【特許請求の範囲】
【請求項１】
原油掘削跡地において大量のスラッジが廃棄物となって残っている現場で、軽油の入ったタンク、水の入ったタンク、原油を分解する特殊酵素溶液の入ったタンク、スラッジを投入して軽油、水、特殊酵素溶液を入れて原油を分解する為の撹拌タンク、その撹拌タンクから重油を抜き出す装置、その重油をディーゼル発電機の燃料として蓄積するタンク、及びディーゼル発電機より構成され、現場に大量にあるスラッジを原材料として、その現場でディーゼル発電機を使用して、化学反応プロセスにより高温にする事なくスラッジを電気エネルギーに変換する事を特徴とするスラッジ利用独立型発電システム。
【発明の詳細な説明】
【技術分野】
【０００１】  本発明は原油を掘削した後、大量に掘削中に出た大量のスラッジを産業廃棄物として放置している現場において、植物酵素による原油分解作用がある液体を利用して、高温処理でなく、化学反応を利用する処理で、スラッジを発電用ディーゼルエンジンを駆動するのに必要な燃料に変換するプロセスにより、スラッジを原材料としてそれをスラッジの放置されている現場で電気エネルギーに変換するシステムに関するものである。
【背景技術】
【０００２】  船舶の燃料として重油が利用されているが、その品質が悪い場合、それが原因で出る黒煙により大きな環境問題を起こしていた。その対策として、品質の悪い重油を黒煙の出ない高品位の重油に変換するのに植物酵素を利用した溶液が使用されている。【０００３】  原油を運搬するタンカー内のタンクや、その原油を陸上で保管蓄積する原油蓄積基地のタンクでは、そのタンク内部に蓄積するスラッジを高圧水蒸気の利用により定期的に清掃除去している。この高圧水蒸気を利用してタンクの壁に付着し除去されたスラッジは袋に詰められてタンクの外へ運び出し、別の場所で高温の焼却炉で焼却処理している。【０００４】  原油掘削跡に産業廃棄物として残っているスラッジは長年放置されて悪臭のある固形物になっているのが現状であり、それを除去する為、機械的な粉砕機が利用された例があるが、現場で多大の処理エネルギーを必要とする為、実用化は困難な状態である。
【発明の開示】
【発明が解決しようとしている課題】
【０００５】この発明は、これ等の課題を解決するもので、砂漠など原油掘削現場跡地で大量の産業廃棄物となっているスラッジをそれが放置されている現場で、スラッジを電気エネルギーに変換できるものであり、廃棄物であるスラッジの除去は勿論の事、現場でそれを電気エネルギーに変換する事により、その電力を利用して現場周辺で植物栽培など新しい農業が可能であり、人間に新しい生活環境を提供できるものである。
【課題を解決するための手段】
【０００６】日本政府国土交通省登録番号ＫＴＮ−１０００３に登録され、広くエンジン黒煙の大幅な減少、有害成分の除去に、植物性活性酵素成分を持つ溶液が利用されている。この溶液を利用してスラッジを軽油、水と混合、撹拌する事により化学反応と重力を利用してスラッジを重油、水、砂・固形物の３層に分離し、ここで分離された重油を隣接して設置されるディーゼル発電機に燃料として供給し、スラッジを原材料としてスラッジの放置されている現場で電気エネルギーを発生する事ができる。
【０００７】  スラッジが放置されている現場は通常砂漠の中などにあるのが殆どであり、スラッジを処理するエネルギーが殆んどない所である。始めに水は必要であるが、これは始めに準備するだけで、プラントが稼働すれば、プロセスの過程で再処理して循環して利用できる。水と同時に使用される軽油についても同様である。重要な要素である植物性活性酵素液（以下酵素液と書く）は、処理するスラッジの量に比べ数パーセント以下であり、これは、タンクに蓄積して連続して補給する必要がある。
【０００８】  砂漠には電気はないが、広大な土地はある。ここにドームハウスを利用した植物工場を作れば、ここで発生した電気を利用して、果物、野菜など食料品の生産が可能となり、砂漠の中に、新しい生活空間を提供出来る。
【０００９】  この発明の利用により、原油掘削現場で大量に産業廃棄物として放置されている貴重な資源を、スラッジのある現場で利用されていない広大な土地をエネルギー生産現場として利用できる様にすると共に、更に人間が生活できる新しい生活空間を創り出す事を可能とする。
【発明を実施するための最良の形態】
【００１０】  以下、本発明の実施の形態を図１−７に基づいて説明する。【００１１】図１は本発明に関するシステム全体の機能を示すブロック図である。図２は変換のプロセスを説明する為に原材料であるスラッジの投入から、それを発電用ディーゼルエンジンの燃料に変換するまでの油や水の流れをパイプラインとポンプの位置関係を入れて説明したものである。【００１２】  図３−６はスラッジをディーゼルエンジン駆動用の燃料に変換するまでのプロセスを説明したものである。図３は始めにスラッジを撹拌タンクに入れた後、軽油と酵素液を適量加え撹拌タンクの中に入れるプロセスを示したものである。図４、図５はヒータで約５０℃に加熱した状態でスラッジと軽油、水を撹拌タンク内で撹拌するプロセスを示したものである。図６は撹拌を数十分行った後、重油、水、砂の比重によって重油、水、砂などの固形物の３層に自動的に分離される事を示す。【００１３】  図７はこれらのタンクとディーゼル発電機を４０フィートの標準コンテナの一体型にまとめ、トレーラについた標準のコンテナ運搬車で、次の使用場所に移動できる構造原理を示したものである。
【産業上の利用の可能性】
【００１４】  砂漠で原油を掘削した時、原油を精製する施設が完成するまで地上に噴出して、砂漠に原油の産業廃棄物として放置されたままになっているスラッジをその現場で電気エネルギーに変換する事が出来、砂漠で環境汚染の一つになっているものを削除出来ると共に、それを電気エネルギーに変換できるので、その電気を利用して何もない砂漠地域で農業など新しい産業を興す事が可能となる。
【図面の簡単な説明】
【００１５】
【図１】図１は本発明に関するシステム全体の機能を示すブロック図である。
【図２】図２は変換のプロセスを説明する為に原材料であるスラッジの投入から、それを発電用ディーゼルエンジンの燃料に変換するまでの油や水の流れをパイプラインとポンプの位置関係を入れて説明を示す。
【図３】図３は始めにスラッジを撹拌タンクに入れた後、軽油と酵素液を適量加え撹拌タンクの中に入れるプロセスを示したもの。図４、図５はヒータで約５０℃に加熱した状態でスラッジと軽油、水を撹拌タンク内で撹拌するプロセスを示したものである。図６は撹拌を数十分行った後、重油、水、砂の比重によって重油、水、砂の３層に自動的に分離する事を示す。
【図４】図４はヒータで約５０℃に加熱した状態でスラッジと軽油で柔らかくする過程を示す。
【図５】図５は図４の状態で水を加えて撹拌し、油と水の比重の違いを利用して、油と水を自動歴に分離する原理を示す。
【図６】３層分離タンクで油と水と砂・金属など固形物の３層に状態が分離される事を示す。
【図７】図７はこれらのタンクとディーゼル発電機を４０フィートの標準コンテナの一体としてまとめ、標準のコンテナ運搬車で、次の使用場所に移動できる構造原理を示す。
【符号の説明】
【００１６】１．  原油掘削現場で掘削後、スラッジとして掘削現場に残されているスラッジ
２．  スラッジを溶融する為に使用される軽油の入ったタンク
３．  スラッジを重油、水、砂などの固形物の３種に分離するのに使用される水の入った    タンク
４．  植物性活性酵素液の入ったタンク
５．  撹拌装置が入った撹拌用タンク
６．  重油、水、砂などの固形物の３種に分離するのに使用される３層分離タンク
７．  軽油を撹拌タンクに移送するポンプ
８．  水を撹拌タンクに移送するポンプ
９．  植物性活性酵素液を撹拌タンクに移送するポンプ
１０．３層分離タンクで分離された水を元の水の入ったタンクに戻すポンプ
１１．撹拌タンクから、ここで混合され液体状になった主成分が重油と水が混合した液体    を３層分離タンクに移送するポンプ
１２．３層分離タンクの中で分離された重油をディーゼルエンジンの燃料タンクに移送す    るポンプ
１３．３層分離タンクで分離された重油
１４．３層分離タンクで分離された水
１５．３層分離タンクで分離された砂などを含んだ固形物
１６．ディーゼルエンジンの燃料タンク
１７．ディーゼル発電機
【図１】
2016097400.tif 000003
【図２】
2016097400.tif 000004
【図３】
2016097400.tif 000005
【図４】
2016097400.tif 000006
【図５】
2016097400.tif 000007
【図６】
2016097400.tif 000008
【図７】
2016097400.tif 000009